(57)【要約】【課題】タクシー会社等の車両管理者がマッチングサービス等のサービスを実際の運用に合わせて柔軟に活用できる車両情報提供装置及び車両情報提供システムを提供する。【解決手段】  タクシー車両情報提供システム１００は、タクシー車両に搭載された車載器１０と、タクシー車両を管理する車両管理装置２０と、タクシー車両と利用者とのマッチングを行うマッチングサービスを提供するサービス提供装置３０と、サービス提供装置３０にタクシー車両の車両情報を提供するサーバー４０と、を備える。サーバー４０は、車載器１０から、タクシー車両の位置情報及びタクシーメータ情報を含む車両情報を取得し、車両管理装置２０から、タクシー会社の営業区域の位置を示す営業区域情報を公開条件として取得し、取得した車両情報に示されるタクシー車両の位置が、営業区域内でない場合、当該車両情報をサービス提供装置３０に非公開とする。【選択図】図１
2020149127.tif 000002
【特許請求の範囲】
【請求項１】
車両を利用したサービスを提供するサービス提供装置に車両情報を提供する車両情報提供装置であって、
車両に搭載された車載器から、前記車両の位置情報及び前記車両の利用可否情報を含む車両情報を取得し、
前記車両を管理する管理装置から、前記車両に関する公開条件を取得し、
取得した前記車両情報が前記公開条件を満たさない場合、当該車両情報を前記サービス提供装置に非公開とする、制御部を備える
ことを特徴とする車両情報提供装置。
【請求項２】
前記公開条件を記憶する公開条件記憶部と、
前記サービス提供装置に公開された前記車両情報を記憶する公開車両情報記憶部と、を備え、
前記制御部は、取得した前記車両情報が前記公開条件を満たす場合、当該車両情報を前記公開車両情報記憶部に登録し、満たさない場合、当該車両情報を前記公開車両情報記憶部に登録しない
ことを特徴とする請求項１に記載の車両情報提供装置。
【請求項３】
前記公開条件は、前記車両が稼働中であることを含み、
前記公開条件記憶部は、いずれの車両が稼働中であるかを示す情報を記憶する
ことを特徴とする請求項２に記載の車両情報提供装置。
【請求項４】
前記車両は、タクシー車両であり、
前記公開条件は、前記タクシー車両の現在位置がタクシー会社の営業区域内であることを含み、
前記制御部は、前記現在位置が前記営業区域内でない場合において、前記タクシー車両が前記営業区域へ到達すると予想される到達予想時間を算出し、前記車両情報に前記到達予想時間を含めて、前記サービス提供装置に公開する
ことを特徴とする請求項１から３のいずれか一項に記載の車両情報提供装置。
【請求項５】
タクシー車両に搭載された車載器と、
前記タクシー車両を管理する車両管理装置と、
前記タクシー車両と利用者とのマッチングを行うマッチングサービスを提供するサービス提供装置と、
前記サービス提供装置に前記タクシー車両の車両情報を提供する車両情報提供装置と、
を備える車両情報提供システムにおいて、
前記車両情報提供装置は、
前記車載器から、前記タクシー車両の位置情報及び利用可否情報を含む車両情報を取得し、
前記車両管理装置から、タクシー会社の営業区域の位置を示す営業区域情報を公開条件として取得し、
取得した前記車両情報に示される前記タクシー車両の位置が、前記営業区域内でない場合、当該車両情報を前記サービス提供装置に非公開とする
ことを特徴とする車両情報提供システム。
【発明の詳細な説明】
【技術分野】
【０００１】
本発明は、車両情報提供装置及び車両情報提供システムに関する。
【背景技術】
【０００２】
従来、タクシーの需要と供給をマッチングさせる種々の方法が提案されている（例えば、特許文献１〜３参照。）。また、近年、ＭａａＳ（Mobility as a Service）という、複数の交通手段を統合するプラットフォームサービスが検討されている。ＭａａＳにおいては、例えば、駅で電車からタクシーに乗り継ぐ場合、利用者が電車を降りた後、待ち時間なくスムーズに、タクシーに乗車できることが求められる。このため、利用者とタクシーとのマッチングを一層効率的に成立させることが求められている。
【先行技術文献】
【特許文献】
【０００３】
【特許文献１】特開２０１７−１４６８０８号公報
【特許文献２】特開２００３−１６８１９５号公報
【特許文献３】特開２０１４−１３０５５２号公報
【発明の概要】
【発明が解決しようとする課題】
【０００４】
ところで、タクシー会社（タクシー営業所）は、法令により営業区域が決められており、営業区域外では原則として利用者を乗車させることができない。しかしながら、例えば上記特許文献１〜３に示された従来のマッチングサービスにおいては、営業区域が考慮されておらず、利用者とタクシーとのマッチングが成立した場合において、実際にはタクシーが営業区域外に位置するため利用者が乗車できないという状況があり得た。特に、マッチングサービス会社が、複数のタクシー会社から提供された情報を取得して利用者とタクシーとのマッチングを行う場合には、この状況が増加し得る。このため、営業区域外に位置するタクシーはマッチングさせない必要がある。また、タクシー会社においては、新人ドライバーの研修を行っている車両等、マッチングサービスを利用したくない場合がある。
【０００５】
本発明は、上述した事情に鑑みてなされたものであり、その目的は、タクシー会社等の車両管理者がマッチングサービス等のサービスを実際の運用に合わせて柔軟に活用できる車両情報提供装置及び車両情報提供システムを提供することにある。
【課題を解決するための手段】
【０００６】
前述した目的を達成するために、本発明に係る車両情報提供装置及び車両情報提供システムは、下記（１）〜（５）を特徴としている。
（１）  車両を利用したサービスを提供するサービス提供装置に車両情報を提供する車両情報提供装置であって、
車両に搭載された車載器から、前記車両の位置情報及び前記車両の利用可否情報を含む車両情報を取得し、
前記車両を管理する管理装置から、前記車両に関する公開条件を取得し、
取得した前記車両情報が前記公開条件を満たさない場合、当該車両情報を前記サービス提供装置に非公開とする、制御部を備える
ことを特徴とする車両情報提供装置。
（２）  前記公開条件を記憶する公開条件記憶部と、
前記サービス提供装置に公開された前記車両情報を記憶する公開車両情報記憶部と、を備え、
前記制御部は、取得した前記車両情報が前記公開条件を満たす場合、当該車両情報を前記公開車両情報記憶部に登録し、満たさない場合、当該車両情報を前記公開車両情報記憶部に登録しない
ことを特徴とする上記（１）に記載の車両情報提供装置。
（３）  前記公開条件は、前記車両が稼働中であることを含み、
前記公開条件記憶部は、いずれの車両が稼働中であるかを示す情報を記憶する
ことを特徴とする上記（２）に記載の車両情報提供装置。
（４）  前記車両は、タクシー車両であり、
前記公開条件は、前記タクシー車両の現在位置がタクシー会社の営業区域内であることを含み、
前記制御部は、前記現在位置が前記営業区域内でない場合において、前記タクシー車両が前記営業区域へ到達すると予想される到達予想時間を算出し、前記車両情報に前記到達予想時間を含めて、前記サービス提供装置に公開する
ことを特徴とする上記（１）から（３）のいずれか一に記載の車両情報提供装置。
（５）  タクシー車両に搭載された車載器と、
前記タクシー車両を管理する車両管理装置と、
前記タクシー車両と利用者とのマッチングを行うマッチングサービスを提供するサービス提供装置と、
前記サービス提供装置に前記タクシー車両の車両情報を提供する車両情報提供装置と、
を備える車両情報提供システムにおいて、
前記車両情報提供装置は、
前記車載器から、前記タクシー車両の位置情報及び利用可否情報を含む車両情報を取得し、
前記車両管理装置から、タクシー会社の営業区域の位置を示す営業区域情報を公開条件として取得し、
取得した前記車両情報に示される前記タクシー車両の位置が、前記営業区域内でない場合、当該車両情報を前記サービス提供装置に非公開とする
ことを特徴とする車両情報提供システム。
【０００７】
上記（１）の構成の車両情報提供装置によれば、車両情報に基づいて車両と利用者とのマッチングを行うマッチングサービス等を提供するサービス提供装置に車両情報を提供する際、予め公開条件を車両情報提供装置に設定しておくことにより、公開条件を満たさない場合には車両情報が非公開とされる。これにより、管理装置において定められた任意の条件で、自動的に車両情報公開の許可／無効を切り替えて、車両管理者がマッチングサービス等のサービスを実際の運用に合わせて柔軟に活用できる。尚、車両は、タクシーに限らず、バス、トラック等の他の車両も、サービスの対象とし得る。
【０００８】
上記（２）の構成の車両情報提供装置によれば、公開車両情報記憶部には、公開条件を満たした車両情報が記憶され、公開条件を満たさない車両情報は記憶されていない。このため、サービス提供装置は、公開車両情報記憶部にアクセスすることにより、有効な車両情報を選択するための煩雑な判断をすることなく、車両管理者の運用に合わせてサービスを提供することができる。
【０００９】
上記（３）の構成の車両情報提供装置によれば、制御部は、例えばタクシー会社のシフト管理表に基づいて車両が稼働中であるか否かを認識し、稼働中である車両の車両情報のみを公開できる。車両が動いている場合であっても、例えば、新人ドライバーの教育中や、車両点検中といった、乗客が利用できない状況では、車両が稼働中でないとして車両情報が公開されないことにより、このような車両と乗客がマッチングされるという不具合を防止できる。
【００１０】
上記（４）の構成の車両情報提供装置によれば、タクシー車両が営業区域外に位置する場合には、車両情報に到達予想時間を含めて公開する。これにより、現在は営業区域外に位置し乗客が利用できないタクシー車両であっても、例えば、２０分後には営業区域内に到達して利用可能となることをサービス提供装置に知らせることができる。
タクシー車両が営業区域内に位置することを公開条件とすることにより、タクシー車両と利用者（乗客）とのマッチングにおいて、営業区域外に位置するタクシー車両について車両情報を公開せずマッチングサービスの対象から外すことができる。このため、マッチング成立後に、その車両がタクシー会社の営業区域外に存在するため乗客が利用できない、といった不具合が生じることを防止できる。
さらに、タクシー車両が営業区域内に位置することを公開条件とした場合に、車両情報に到達予想時間を含めて公開することにより、本来公開されないはずのタクシー車両の車両情報についても、利用可能となる予想時間とともに公開される。したがって、マッチングの候補となるタクシー車両を増やしてマッチングサービスの成功率を高め、タクシー車両の実車率を向上できる。
【００１１】
上記（５）の構成の車両情報提供システムによれば、サービス提供装置に車両情報を提供する際、予め公開条件を車両情報提供装置に設定しておくことにより、公開条件を満たさない場合には車両情報が非公開とされる。公開条件として営業区域の位置を示す営業区域情報を設定しておくことにより、タクシー車両と利用者（乗客）とのマッチングにおいて、タクシー車両の実車率及び乗客の利便性を向上できる。すなわち、マッチング成立後に、その車両がタクシー会社の営業区域外に存在するため乗客が利用できない、といった不具合が生じることを防止できる。また、マッチングサービスを利用した場合には迎車料金を不要とできるため、乗客はタクシー車両の利用料金を削減できる。
【発明の効果】
【００１２】
本発明によれば、タクシー会社等の車両管理者がマッチングサービス等のサービスを実際の運用に合わせて柔軟に活用できる車両情報提供装置及び車両情報提供システムを提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本実施形態にかかるタクシー車両情報提供システムの構成を示す図である。
【図２】図２は、サーバーによる車両情報の公開／非公開処理手順（１）を示すフローチャートである。
【図３】図３は、サーバーによる車両情報の公開／非公開処理手順（２）を示すフローチャートである。
【図４】図４は、タクシー車両が営業区域へ移動するイメージを示す図である。
【図５】図５は、サーバーによる車両情報の公開／非公開処理手順（３）を示すフローチャートである。
【発明を実施するための形態】
【００１５】
本発明に関する具体的な実施形態について、各図を参照しながら以下に説明する。本実施形態では、サービス提供装置が、車両を利用したサービスとして、タクシー車両と利用者とのマッチングを行うマッチングサービスを提供し、車両情報提供装置として機能するサーバーが、タクシー車両の位置情報及び利用可否情報を含む車両情報をサービス提供装置に提供する例を説明する。
【００１６】
図１は、本実施形態にかかるタクシー車両情報提供システム１００の構成を示す図である。タクシー車両情報提供システム１００は、各タクシー車両に搭載された車載器１０と、タクシー車両を管理する車両管理装置２０と、タクシー車両と乗客とのマッチングを行うマッチングサービスを提供するサービス提供装置３０と、サービス提供装置３０にタクシー車両の車両情報を提供するサーバー４０（車両情報提供装置）と、サービス提供装置３０にタクシー車両のマッチングを要求する情報端末５０と、を備える。各車載器１０とサーバー４０とは、ＬＴＥ（Long Term Evolution）網等の無線通信網６０を介して接続される。また、サーバー４０、乗客に所持される情報端末５０、車両管理装置２０、及びサービス提供装置３０は、インターネット７０を介して、互いに通信可能に接続される。
【００１７】
車載器１０は、タクシーメータ１０ａと通信機１０ｂとを含む。タクシーメータ１０ａは、実車時（賃走時）、タクシー車両の走行距離及び走行時間の少なくとも一方で運賃を算出し、運賃を含むタクシー料金を表示ユニットに表示する。また、タクシーメータ１０ａは、現在の自車両の運行状態を「空車」、「賃走」、「支払い」、「回送」などの状態に区別して把握し管理しており、自車両が空車か否かを示すタクシーメータ情報（利用可否情報）を生成する。さらに、タクシーメータ１０ａは、公知の技術により自車両の現在位置を示す位置情報を取得する。通信機１０ｂは、タクシーメータ１０ａから、自車両のタクシーメータ情報及び位置情報を取得して、これらを含む車両情報をサーバー４０へ一定の時間間隔で送信する。
【００１８】
車両管理装置２０は、各タクシー会社の事務所等に設置された汎用のコンピュータ装置で構成され、タクシー車両の運行状況や運転状況を管理する。また、車両管理装置２０は、タクシー会社の営業区域を示す位置情報を含む営業区域情報を、車両情報の公開条件として、サーバー４０へ設定する。すなわち、車両管理装置２０は、タクシー車両の現在位置が営業区域内である場合に車両情報を公開するという条件を、サーバー４０へ設定する。さらに、車両管理装置２０は、タクシー会社の実際の運用に合わせて、任意の公開条件をサーバー４０へ設定する。公開条件として、例えば、新人ドライバーの教育中や、車両点検中といった、車両が動いていても乗客が利用できない場合は、車両情報を非公開とする、という条件を設定できる。他の例として、売上が伸び悩んでいる車両については車両情報を積極的に公開し、ドライバーの希望によりマッチングサービスを利用したくない車両については車両情報を非公開とする、という公開条件を設定できる。車両管理装置２０は、これらの公開条件とともに、ドライバーの勤務状況及びタクシー車両の稼働状況を示すシフト管理表等の情報（いずれの車両が稼働中であるかを示す情報）を、サーバー４０へ設定する。
【００１９】
サービス提供装置３０は、マッチングサービス提供会社に管理されるコンピュータ装置である。サービス提供装置３０は、タクシー会社から公開されたタクシー車両の車両情報を取得する機能、乗客に所持される情報端末５０からマッチング要求（配車要求）を受信する機能、受信したマッチング要求に応じて乗客とタクシー車両とのマッチングを実施する機能、及び、マッチング結果を乗客（情報端末５０）へ通知し、マッチングされたタクシー車両（車載器１０）へ配車指示する機能を有する。尚、配車指示は、サービス提供装置３０からサーバー４０及び／又は車両管理装置２０を介してタクシー車両（車載器１０）へ送信されてもよい。
【００２０】
サーバー４０は、車載器１０が無線通信により送信する車両情報等のデータを中継して車両管理装置２０に送信する。この場合、サーバー４０は、車載器１０や車両管理装置２０の代わりに様々なデータ処理を行ったり、該当する車載器１０や車両管理装置２０に対して警報を出力したりするようなサービスを実施することもできる。また、サーバー４０は、タクシー車両の位置情報及びタクシーメータ情報を含む車両情報を車載器１０から取得する機能、タクシー車両に関する公開条件を車両管理装置２０から取得する機能、及び、取得した車両情報が公開条件を満たさない場合、当該車両情報をサービス提供装置３０に非公開とする機能を有する。これらの機能は、サーバー４０内部のＣＰＵ（制御部）により実行される。また、サーバー４０は、取得した車両情報を記憶するデータベースである車両情報記憶部４０ａと、営業区域情報等といった、車両情報を公開するための公開条件を記憶するデータベースである公開条件記憶部４０ｂと、サービス提供装置３０に公開された車両情報を記憶するデータベースである公開車両情報記憶部４０ｃと、を備える。サーバー４０は、車載器１０から取得した車両情報が公開条件記憶部４０ｂに記憶される公開条件を満たす場合、当該車両情報を公開車両情報記憶部４０ｃに登録する。一方、公開条件を満たさない場合、サーバー４０は、当該車両情報を公開車両情報記憶部４０ｃに登録しない、または、すでに登録されていた車両の車両情報を登録から除く。
【００２１】
サーバー４０において、タクシー会社が定めた公開条件が予め設定されて公開条件記憶部４０ｂに記憶されている。そして、サーバー４０は、各車載器１０から定期的に（一定時間間隔で）送信される車両情報を受信する都度、後述する車両情報の公開／非公開処理を行う。各処理は、サーバー４０内部のＣＰＵにより実行される。
【００２２】
図２は、サーバー４０による車両情報の公開／非公開処理手順（１）を示すフローチャートであり、車両の現在位置が営業区域内である場合に車両情報を公開するという公開条件が設定されている例を示す。サーバー４０は、車載器１０から車両情報を受信すると、タクシー車両の位置情報及びタクシーメータ情報を取得する（ステップＳ１）。サーバー４０は、タクシーメータ情報が空車であることを示すか否かを判断し（ステップＳ２）、空車である場合には、車両の現在位置が営業区域内であるか否かを判断する（ステップＳ３）。営業区域内である場合（ステップＳ３でＹＥＳ）、サーバー４０は、車両情報を公開車両情報記憶部４０ｃに登録する（ステップＳ４）。一方、タクシー車両が空車でない場合（ステップＳ２でＮＯ）、または、タクシー車両の現在位置が営業区域内でない場合（ステップＳ３でＮＯ）、サーバー４０は、車両情報の非公開処理を行う（ステップＳ５）。すなわち、サーバー４０は、車両情報を公開車両情報記憶部４０ｃに登録しない、または、すでに登録されていた車両の車両情報を登録から除く。サーバー４０は、ステップＳ４又はステップＳ５の処理の後、ステップＳ１に戻る。
【００２３】
図２に示した処理によれば、公開条件を満たした車両情報が公開車両情報記憶部４０ｃに記憶され、公開車両情報記憶部４０ｃには、乗客が利用できない営業区域外に位置する車両の車両情報が記憶されていない。このため、サービス提供装置３０は、公開車両情報記憶部４０ｃにアクセスして乗客とのマッチングを実施することにより、営業区域外に位置する車両をマッチング対象外とするための煩雑な判断・処理を行うことなく、有効なマッチングを実現できる。
【００２４】
図３は、サーバー４０による車両情報の公開／非公開処理手順（２）を示すフローチャートであり、車両の現在位置が営業区域外であっても、車両が営業区域内に戻ってくる場合には車両情報を公開するという公開条件が設定されている例を示す。サーバー４０は、車載器１０から車両情報を受信すると、タクシー車両の位置情報及びタクシーメータ情報を取得する（ステップＳ１１）。サーバー４０は、タクシーメータ情報が空車であることを示すか否かを判断し（ステップＳ１２）、空車である場合には、車両の現在位置が営業区域内であるか否かを判断する（ステップＳ１３）。営業区域内である場合（ステップＳ１３でＹＥＳ）、サーバー４０は、車両情報を公開車両情報記憶部４０ｃに登録し（ステップＳ１４）、ステップＳ１１の処理に戻る。一方、タクシー車両が空車でない場合（ステップＳ１２でＮＯ）、または、タクシー車両の現在位置が営業区域内でない場合（ステップＳ１３でＮＯ）、サーバー４０は、営業区域内の、現在位置から一番近い地点（営業区域地点）と、現在位置との間の距離を算出する（ステップＳ１５）。
【００２５】
次にサーバー４０は、今回算出した距離が、前回算出した距離よりも小さいか判断し（ステップＳ１６）、小さい場合（ステップＳ１６でＹＥＳ）、タクシー車両が営業区域に向かっているかを判断する（ステップＳ１７）。営業区域に向かっている場合（ステップＳ１７でＹＥＳ）、サーバー４０は、タクシー車両の現在位置及び車速に基づいて、タクシー車両が営業区域へ到達すると予想される時間を算出する（ステップＳ１８）。続いて、サーバー４０は、営業区域への到達予想時間及び場所を、車両情報に含めて、公開車両情報記憶部４０ｃに登録し（ステップＳ１９）、ステップＳ１１の処理に戻る。
【００２６】
上述したステップＳ１５〜Ｓ１９の処理について、図４を参照して説明する。図４は、タクシー車両が営業区域外から営業区域内へ移動するイメージを示す図である。営業区域外に位置するタクシー車両は、基本的には乗客を乗せることができないため、営業区域内に戻ってくることとなる。タクシー車両（車載器１０）は、図４に示すように移動する際、定期的にサーバー４０へ車両情報を送信している。そこで、サーバー４０は、タクシー車両の現在位置と一番近い営業区域地点との距離を定期的に算出して比較し、タクシー車両が営業区域に近づいていることを判定する（図３のステップＳ１５〜Ｓ１７）。そして、サーバー４０は、営業区域への予想到達時間を算出し（図３のステップＳ１８）、予想到達時間とともに車両情報を公開する（図３のステップＳ１９）。
【００２７】
図３に戻り、ステップＳ１５において今回算出した距離が、前回算出した距離よりも小さくない場合または初回算出時（ステップＳ１６でＮＯ）、もしくは、タクシー車両が営業区域に向かっていない場合（ステップＳ１７でＮＯ）には、図２のステップＳ５と同様に、車両情報の非公開処理を行い（ステップＳ２０）、ステップＳ１１の処理に戻る。
【００２８】
図３に示した処理によれば、タクシー車両が営業区域外に位置する場合には、サーバー４０が車両情報に到達予想時間を含めて公開する。これにより、現在は営業区域外に位置し乗客が利用できないタクシー車両であっても、例えば、２０分後には営業区域内のある地点に到達して利用可能となることを、サーバー４０はサービス提供装置３０に知らせることができる。このため、サービス提供装置３０によるマッチングサービスの成功率を高め、タクシー車両の実車率を向上できる。
【００２９】
図５は、サーバー４０による車両情報の公開／非公開処理手順（３）を示すフローチャートであり、タクシー会社の都合に合わせた任意の公開条件を設定し、営業中の予測情報（空車になった時点の予測データ）を公開する例を示す。サーバー４０は、車載器１０から車両情報を受信すると、タクシー車両の位置情報及びタクシーメータ情報を取得する（ステップＳ２１）。また、サーバー４０は、タクシー会社のシフト管理表等を参照して、タクシー車両の稼働予定を認識し（ステップＳ２２）、タクシー車両が休車であるか否かを判断する（ステップＳ２３）。休車でなければ（ステップＳ２３でＮＯ）、サーバー４０は、タクシー車両が稼働中であるかを判断し（ステップＳ２４）、タクシー車両が稼働中である場合（ステップＳ２４でＹＥＳ）、タクシーメータ情報が空車であることを示すか否かを判断する（ステップＳ２５）。空車でなければ（すなわち営業中であれば）（ステップＳ２５でＮＯ）、サーバー４０は、車載器１０から、降車地の位置情報を取得する（ステップＳ２６）。尚、空車でない場合には、迎車中等の客待ち状態を含む。続いてサーバー４０は、降車地の位置情報及びタクシー車両の車速に基づいて、降車地に到達すると予想される時間（降車地到達予想時間）を算出する（ステップＳ２７）。次にサーバー４０は、降車地到達予想時間及び降車地の位置情報を、車両情報に含めて、公開車両情報記憶部４０ｃに登録し（ステップＳ２８）、ステップＳ２１の処理に戻る。
【００３０】
一方、タクシー車両が休車中である場合（ステップＳ２３でＹＥＳ）、または、タクシー車両が稼働中でない場合（ステップＳ２４でＮＯ）、サーバー４０は、図２のステップＳ５と同様に、車両情報の非公開処理を行い（ステップＳ２９，Ｓ３０）、ステップＳ２１の処理に戻る。タクシー会社においては、タクシー車両が動いている場合（車載器１０が車両情報をサーバー４０に送信している場合）であっても、新人教育中や、車両点検中は、乗客を乗せることができないという事情がある。このようにタクシー車両が稼働中でない場合には、車両情報を非公開とすることで、マッチングサービスの対象外とすることができる。
【００３１】
また、タクシー車両が空車である場合（ステップＳ２５でＹＥＳ）には、サーバー４０は、タクシー車両の現在位置が営業区域内か否かを判断する（ステップＳ３１）。サーバー４０は、タクシー車両の現在位置が営業区域内であれば（ステップＳ３１でＹＥＳ）、図２のステップＳ４と同様に、車両情報を公開し（ステップＳ３２）、営業区域内でない場合（ステップＳ３１でＮＯ）は、図２のステップＳ５と同様に、車両情報の非公開処理を行い（ステップＳ３３）、ステップＳ２１の処理に戻る。
【００３２】
図５に示した処理によれば、サーバー４０は、タクシー会社のシフト管理表等に基づいて車両が稼働中であるか否かを認識し、稼働中である車両の車両情報のみを公開できる。車両が動いている場合であっても、例えば、新人ドライバーの教育中や、車両点検中といった、乗客が利用できない状況では、車両が稼働中でないとして車両情報が公開されないことにより、このような車両と乗客がマッチングされるという不具合を防止できる。
【００３３】
以上説明したように、本実施形態によれば、サービス提供装置３０に車両情報を提供する際、予め公開条件をサーバー４０に設定しておくことにより、公開条件を満たさない場合には車両情報が非公開とされる。これにより、車両管理装置２０において定められた任意の条件で、自動的に車両情報公開の許可／無効を切り替えて、タクシー会社等の車両管理者がマッチングサービス等のサービスを実際の運用に合わせて柔軟に活用できる。また、公開条件として営業区域の位置を示す営業区域情報を設定しておくことにより、タクシー車両と利用者（乗客）とのマッチングにおいて、マッチング成立後に、その車両がタクシー会社の営業区域外に存在するため乗客が利用できない、といった不具合が生じることを防止できる。したがって、タクシー車両の実車率及び乗客の利便性を向上できる。また、マッチングサービスを利用した場合には迎車料金を不要とできるため、乗客はタクシー車両の利用料金を削減できる。尚、本実施形態では、サービス提供装置３０にタクシー車両の車両情報を提供する例を説明したが、本発明の車両情報提供装置及びシステムは、タクシー車両に限らず、バス、トラック等の他の車両の車両情報を提供する場合にも適用可能である。
【００３４】
ここで、上述した本発明の実施形態に係る車両情報提供装置及び車両情報提供システムの特徴をそれぞれ以下［１］〜［５］に簡潔に纏めて列記する。
［１］  車両を利用したサービスを提供するサービス提供装置（３０）に車両情報を提供する車両情報提供装置（サーバー４０）であって、
車両に搭載された車載器（１０）から、前記車両の位置情報及び前記車両の利用可否情報（タクシーメータ情報）を含む車両情報を取得し、
前記車両を管理する管理装置（車両管理装置２０）から、前記車両に関する公開条件を取得し、
取得した前記車両情報が前記公開条件を満たさない場合、当該車両情報を前記サービス提供装置に非公開とする、制御部（サーバー４０内部のＣＰＵ）を備える
ことを特徴とする車両情報提供装置（サーバー４０）。
［２］  前記公開条件を記憶する公開条件記憶部（４０ｂ）と、
前記サービス提供装置に公開された前記車両情報を記憶する公開車両情報記憶部（４０ｃ）と、を備え、
前記制御部は、取得した前記車両情報が前記公開条件を満たす場合、当該車両情報を前記公開車両情報記憶部に登録し、満たさない場合、当該車両情報を前記公開車両情報記憶部に登録しない
ことを特徴とする上記［１］に記載の車両情報提供装置。
［３］  前記公開条件は、前記車両が稼働中であることを含み、
前記公開条件記憶部は、いずれの車両が稼働中であるかを示す情報を記憶する
ことを特徴とする上記［２］に記載の車両情報提供装置。
［４］前記車両は、タクシー車両であり、
前記公開条件は、前記タクシー車両の現在位置がタクシー会社の営業区域内であることを含み、
前記制御部は、前記現在位置が前記営業区域内でない場合において、前記タクシー車両が前記営業区域へ到達すると予想される到達予想時間を算出し、前記車両情報に前記到達予想時間を含めて、前記サービス提供装置に公開する
ことを特徴とする上記［１］から［３］のいずれか一に記載の車両情報提供装置。
［５］  タクシー車両に搭載された車載器（１０）と、
前記タクシー車両を管理する車両管理装置（２０）と、
前記タクシー車両と利用者とのマッチングを行うマッチングサービスを提供するサービス提供装置（３０）と、
前記サービス提供装置に前記タクシー車両の車両情報を提供する車両情報提供装置（サーバー４０）と、
を備える車両情報提供システム（タクシー車両情報提供システム１００）において、
前記車両情報提供装置は、
前記車載器から、前記タクシー車両の位置情報及び利用可否情報を含む車両情報を取得し、
前記車両管理装置から、タクシー会社の営業区域の位置を示す営業区域情報を公開条件として取得し、
取得した前記車両情報に示される前記タクシー車両の位置が、前記営業区域内でない場合、当該車両情報を前記サービス提供装置に非公開とする
ことを特徴とする車両情報提供システム（タクシー車両情報提供システム１００）。
【符号の説明】
【００３５】
１０    車載器
１０ａ  タクシーメータ
１０ｂ  通信機
２０    車両管理装置
３０    サービス提供装置
４０    サーバー
４０ａ  車両情報記憶部
４０ｂ  公開条件記憶部
４０ｃ  公開車両情報記憶部
５０    情報端末
６０    無線通信網
７０    インターネット
１００  タクシー車両情報提供システム
【図１】
2020149127.tif 000003
【図２】
2020149127.tif 000004
【図３】
2020149127.tif 000005
【図４】
2020149127.tif 000006
【図５】
2020149127.tif 000007